(57)【特許請求の範囲】
【請求項１】
複数本の竿部分（１Ａ，１Ｂ，１Ｃ）を連結してなる中通し用穂先竿であって、
前記中通し用穂先竿を先端側竿部分（１Ａ）と後端側竿部分（１Ｂ）とに分割し、
前記先端側竿部分（１Ａ）と前記後端側竿部分（１Ｂ）との間の間隙に入り込み外向きの突出部（８ａ）を有し、かつ前記竿部分（１Ａ，１Ｂ，１Ｃ）同士を連結する連結具（８）を設け、
この連結具（８）の内面に前記糸支持体（６）を設けてある
ことを特徴とする中通し用穂先竿。
【請求項２】
複数本の竿部分（１Ａ，１Ｂ，１Ｃ）を連結してなる中通し用穂先竿であって、
前記中通し用穂先竿を先端側竿部分（１Ａ）と後端側竿部分（１Ｂ）とに分割し、
前記先端側竿部分（１Ａ）と前記後端側竿部分（１Ｂ）との間の間隙部分に位置する水抜き孔（８Ａ）を有し、かつ前記竿部分（１Ａ，１Ｂ，１Ｃ）同士を連結する連結具（８）を設け、
この連結具（８）の内面に前記糸支持体（６）を設けてある
ことを特徴とする中通し用穂先竿。
【請求項３】
複数本の竿部分（１Ａ，１Ｂ，１Ｃ）を連結してなる中通し用穂先竿であって、
前記中通し用穂先竿を先端側竿部分（１Ａ）と後端側竿部分（１Ｂ）とに分割し、
前記中通し用穂先竿を先端側竿部分（１Ａ）と前記後端側竿部分（１Ｂ）とにネジ溝を形成し、前記ネジ溝に螺旋体（８）をねじ込み前記竿部分（１Ａ，１Ｂ，１Ｃ）同士を連結する連結具（８）を設けてある
ことを特徴とする中通し用穂先竿。
【請求項４】
前記連結具（８）を、複数箇所にわたって設けてある請求項１ないし３から選択される１項に記載の中通し用穂先竿。
【発明の詳細な説明】
【０００１】
【産業上の利用分野】
本発明は中通し用穂先竿に関する。
【０００２】
【従来の技術】
従来、この種の中通し用穂先竿においては、例えば、実開昭６３−１７３０６５号公報の図面に記載されているように、穂先竿の内面においては、竿素材を成形した状態のままであり、糸は直接竿の内面に接触する機会が多く、糸の繰り出し時等の摺動抵抗が大である。
したがって、糸の摺動抵抗を緩和する観点より、糸の摺動抵抗が大きくなる穂先竿の先端部に摺接抵抗を低減する糸支持体としての硬質の糸案内リング等を施したものがあった。
【０００３】
【発明が解決しようとする課題】
上記したように、穂先竿の先端部に糸案内リング等を施したものであっても、設置部位が先端部のみに限定されるので、穂先竿内での糸は竿の中間部で竿の内面に接触することになり、特に魚が針掛りして竿が曲がった場合にはその傾向が強く、その部分での摺接抵抗の増大は避けられなかった。
本発明の目的は、穂先竿の中間部においても糸支持体を配置して、穂先竿での糸の摺動抵抗を低減できるようにする点にある。
【０００４】
【課題を解決するための手段】
本発明による特徴構成は、
複数本の竿部分（１Ａ，１Ｂ，１Ｃ）を連結してなる中通し用穂先竿であって、
前記中通し用穂先竿を先端側竿部分（１Ａ）と後端側竿部分（１Ｂ）とに分割し、
前記先端側竿部分（１Ａ）と前記後端側竿部分（１Ｂ）との間の間隙に入り込み外向きの突出部（８ａ）を有し、かつ前記竿部分（１Ａ，１Ｂ，１Ｃ）同士を連結する連結具（８）を設け、
この連結具（８）の内面に前記糸支持体（６）を設けてある点にあり、その作用効果は次の通りである。
【０００５】
【作用】
つまり、穂先竿を複数本の竿部分に分割する。そうすると、竿部分前後端で連結部位となる部分は、開口部分の近傍となるので、従来と同様に連結部位近傍に糸支持体を配置することができる。糸支持体を配置した状態で、竿部分同士を連結して穂先竿を形成すると、その連結部位近傍に配置した糸支持体が穂先竿としての中間位置に配置されることになる。
さらに糸支持体の設置位置を連結具に定めているので、形状が定まっている竿自体に糸支持体を設置するための取り付け構造を新たに形成する必要はなく、新たに設けられる連結具に竿部分を連結する為の構造とともに、糸支持体を取り付ける為の加工を施せばよい。
【０００６】
【発明の効果】
このように、穂先竿を分割する構成を新たに採用することによって、従来と同様に、配置し易い開口部近傍位置に糸支持体を配置しながら、穂先竿としては中間部にも糸支持体を配置することができ、糸の摺接抵抗を低減することができる。
【０００７】
請求項２の発明の特徴構成は、前記中通し用穂先竿を先端側竿部分（１Ａ）と後端側竿部分（１Ｂ）とに分割し、前記先端側竿部分（１Ａ）と前記後端側竿部分（１Ｂ）との間の間隙部分に位置する水抜き孔（８Ａ）を有し、かつ前記竿部分（１Ａ，１Ｂ，１Ｃ）同士を連結する連結具（８）を設けた点にある。
この連結具で先端側竿部分と後端側竿部分とを連結した際に、突出部が先端側竿部分と後端側竿部分との間の間隙部分に位置するようにして、連結具内に入った水等を排出できる。
【０００８】
請求項３の発明の特徴構成は、前記中通し用穂先竿を先端側竿部分（１Ａ）と後端側竿部分（１Ｂ）とに分割し、前記中通し用穂先竿を先端側竿部分（１Ａ）と前記後端側竿部分（１Ｂ）とにネジ溝を形成し、前記ネジ溝に螺旋体（８）をねじ込み前記竿部分（１Ａ，１Ｂ，１Ｃ）同士を連結する連結具（８）を設けた点にある。
螺旋体が糸支持体の機能も発揮することができ、糸支持体を設ける必要はない。しかも、螺旋体が両竿部分の間隙部分に位置するので、水抜き機能も有する。
【０００９】
請求項４の発明の特徴構成は、連結具（８）を、複数箇所にわたって設けてある点にある。
連結具を複数箇所にわたって設けることによって、連結具に取り付けた糸支持体を複数個設置することができ、それだけ、糸支持体同士の設置ピッチを短くでき、糸が穂先竿の内面に接触する機会を少なくでき、糸の摺接抵抗が軽減する。
【００１１】
【実施例】
〔第１実施例〕
図１（イ）（ロ）に示すように、穂先竿１、第１中間竿２及び第２中間竿３、これら穂先竿１及び第１中間竿２、第２中間竿３を振出式に装着する元竿４を配して、振出し型中通し竿を構成する。元竿４の中間位置に形成したリール脚装着部４Ｂにリール７を取り付け、このリール７より繰り出された糸ａを、元竿４の外面に形成した長円状の糸導入孔４Ａを通して、穂先竿１及び第１中間竿２、第２中間竿３に挿入するようにしてある。
【００１２】
次に、中間竿２，３について説明する。図３に示すように、第１中間竿２、第２中間竿３においては、後端の開口部２Ａに糸ａの摺動抵抗を低減すべく、糸ａを支持する糸支持体６としての硬質の糸案内リングを設けてある。これによって、後記する糸導入口４Ａから第２中間竿３に入る糸ａが中間竿３の後端に接触して方向を替える際に、その後端に圧接し糸ａの摺動抵抗が大きくなる点を、糸案内リング６を設けることによって、糸ａの摺動抵抗を低減する。
【００１３】
元竿４の構成について説明する。図１乃至図３に示すように、元竿４にリール７からの糸ａを導入する糸導入口４Ａと、リール７を取り付けるリール脚装着部４Ｂとを設け、先端から糸導入口４Ａまでの間隔を、中間竿２，３の長さに相当する間隔に設定してある。このような構成によって、第１、第２中間竿２，３を先端から糸導入口４Ａの間で突出することなく収納できる。糸導入口４Ａからリール脚装着部４Ｂまでの間隔は、先端から糸導入口４Ａまでの間隔以上の長いものに設定してあり、これによって、糸導入口４Ａでの糸ａの摺動抵抗を低減できる。つまり、糸導入口４Ａから出た糸ａはリール７に巻き取られる際に、又は、リール７より出た際に、両軸受リールであればレベルワインド機構によって左右に振られたり、スピニングリールであれば、スパイラル状を呈している。したがって、例えば、実開昭５０−８９８８６号公報に示すように、リール脚装着部４Ｂと糸導入口４Ａとを近接した状態に設定すると、左右に振られた糸ａが糸導入口４Ａの左右縁部に圧接することになり、そこでの糸ａの摺動抵抗が大きくなる。
【００１４】
そこで、上記したように、リール脚装着部４Ｂと糸導入口４Ａとの間隔を、中間竿２，３の長さ以上に設定することによって、リール７での左右の振れ又はスパイラル状の径が同一であっても、間隔が大きくなった分糸導入口４Ａでの左右の振れは小さくなり、これによって、糸ａが糸導入口４Ａの左右縁部に接触する圧を小さくでき、ここでの糸ａの摺動抵抗を小さくできる。尚、リール７から出る糸ａに対してその振れを抑える為に、糸導入口４Ａとリール脚装着部４Ｂとの間に２つの糸ガイド９，９を立設している。又、糸導入口４Ａに硬質の糸のリング状ガイド４ａを設けて、糸の摺動抵抗を軽減する構成を採ってもよい。
先端から糸導入口４Ａの間隔を第１、第２中間竿２，３に相当する長さにし、さらに、糸導入口４Ａからリール脚装着部４Ｂまでの間隔を先端から糸導入口４Ａまでの間隔以上に設定してあるので、先端からリール脚装着部４Ｂまでが長いものになり、竿全体としても長いものとなるので、次のような取扱いの良さがある。竿全体のなかで、竿径の大きな元竿が最も長いので、多少持ち重り感が軽減されて、針がかりした魚が横走りする際に、竿の弾性力を利用してためながら魚の引きをこらえる時に、手元の剛性が高い元竿が長いものであるから、剛性の高いしっかりした部分を長く採ることができ、魚の引きによる手元のぐらつき等が少なく、それだけ取扱い易い面がある。
【００１５】
次に、穂先竿１、第１、第２中間竿２，３の後端開口部１Ｄ，２Ａ，３Ａを収納状態で、糸導入口４Ａの近傍に位置させる位置決め手段Ｐについて説明する。図３に示すように、第２中間竿３の先端にネジ部３Ｂを形成するともに、このネジ部３Ｂに螺合する袋ナット状のキャップ１１を設け、このキャップ１１の一端を元竿４の先端に接当することによって、第２中間竿３の後端開口部３Ａを糸導入口４Ａの近傍に位置させることができる。また、第１中間竿２については、第１中間竿２の後端を第２中間竿３の後端開口部３Ａに設けた開口具３Ｃに内嵌し、第１中間竿２の後端開口部２Ａを糸導入口４Ａの近傍に位置させる。以上のように、キャップ１１と元竿４の先端、及び、第１中間竿２の後端開口部２Ａと第２中間竿３の後端開口部３Ａの鍔部とを位置決め手段Ｐと称する。
【００１６】
以上のように、穂先竿１、第１中間竿２、第２中間竿３、元竿４において、第１中間竿２と第２中間竿３とは略同一長さであり、穂先竿１が中間竿２，３より長く、元竿４を穂先竿１よりさらに長くしてある。このように、穂先竿１を中間竿２，３よりも長くすることによって、元々摺動抵抗の少ない穂先竿１の方を長くし、摺動抵抗が大きな中間竿２，３の長さを短くしたので、相対的には従来に比べて全体的な摺動抵抗を低減できるとともに、穂先竿１を長くしたので穂先竿１がより多く曲がり易くなり、それによって、更に、穂先竿１の先端が釣り上げられる糸に略沿った状態になり、糸と穂先竿１の内面との接触度合いが小さくなり摺動抵抗が小さくなる。
【００１７】
又、図２及び図３に示すように、穂先竿１、第１中間竿２、第２中間竿３は、位置決め手段Ｐの作用によって、後端開口部１Ｄ，２Ａ，３Ａが糸導入口４Ａの近くに位置することになる。この状態を第１状態といい、穂先竿１の先端は元竿４の先端よりかなり前方にでている。この状態より、キャップ１１を取り外し、穂先竿１、第１中間竿２、第２中間竿３を更に第１状態より元竿４の奥側に収納するようにして、竿としての全長をコンパクトにし、持ち運び時の便宜を図るようにしてある。この状態を第２状態と称する。この第２状態では、穂先竿１の先端に設けられたトップガイド５のみが元竿４の先端より突出し、穂先竿１をこのトップガイド５を持って引き出すことが可能である。そして、この穂先竿１を引き出すと振出式であるので第１中間竿２、第２中間竿３の前端部内面が第１中間竿２と穂先竿１の先端部内面に圧接して第１中間竿２、第２中間竿３を引き出すことができる。
【００１９】
〔別実施例〕
(1)  穂先竿１の別構造について説明する。
【００２１】
(ａ) 図４に示すように、連結具８の外周面における長手方向中点位置に、外向きの突出部８ａを設け、この連結具８で先端側竿部分１Ａと後端側竿部分１Ｂとを連結した際に、前記突出部８ａが先端側竿部分１Ａと後端側竿部分１Ｂとの間の間隙内に入り込むようにしてある。このような構成によって、前記突出部８ａを、先端側竿部分１Ａと連結具８、及び、後端側竿部分１Ｂと連結具８との重なり代を規定する位置決め部として機能させることができる。
【００２２】
(ｂ) 図５に示すように、連結具８に水抜き孔８Ａを形成し、この水抜き孔８Ａの位置を、この連結具８で先端側竿部分１Ａと後端側竿部分１Ｂとを連結した際に、前記突出部８ａが先端側竿部分１Ａと後端側竿部分１Ｂとの間の間隙部分に位置するようにして、連結具８内に入った水等を排出できるようにする。
【００２５】
（ｃ）図６に示すように、両竿部分１Ａ，１Ｂを連結する連結具８としては、螺旋体を用いてもよい。つまり、螺旋体８に合わせたネジ溝を、両竿部分１Ａ，１Ｂに形成し、この螺旋体８で両竿部分１Ａ，１Ｂを連結する構成を採ってもよい。このような構成によって、螺旋体８が糸支持体６の機能も発揮することができ、糸支持体６を設ける必要はない。しかも、螺旋体８が両竿部分１Ａ，１Ｂの間隙部分に位置するので、水抜き機能も有する。
【００２６】
(2) 糸支持体６としては、次のようなものでもよい。
(a) 図７に示すように、ブロック状本体の一端面に糸の挿通路６ａを形成するとともに、この糸挿通路６ａから反対側の他端面にテーパ状に開口する誘導路６ｂを形成したものでもよい。このような構成を採ると、糸の挿通作業を行う際にテーパ状の誘導路６ｂが糸挿通路６ａへの糸の誘導を容易にする。
(b) 糸支持体６としては、リング状を呈する場合であっても、その断面は円でなくても、楕円等であってもよい。
(c) 糸支持体６としては、完全なリング状でなくてもよく、リングの一部が切り欠がれていてもよい。そして、その切欠き部を大きくしたＣ字型であってもよい。
(d) 糸支持体６の材質としては、セラミック、金属等の硬質材を主とするが、樹脂やゴム等の軟質材を使用してもよい。また、これらの糸支持体６の表面に糸の滑りを良くするコーティング材を施してもよい。
【００２７】
（３）    連結具８としてのその他の構造としては次のようなものでもよい。
（ａ）    連結具８としては、完全な円筒状でなくてもよく、円周方向の一箇所に軸芯方向に沿った切欠きを形成するものであってもよい。また、円筒状の連結具８に多数の水抜き用の貫通孔を形成したものであってもよい。
（ｂ）    連結具８の材質としてはプリプレグを使用して、そのプリプレグを巻回して筒状の部材を形成してもよく、または、軽量の金属、樹脂等を利用してもよい。
【００２８】
尚、特許請求の範囲の項に図面との対照を便利にするために符号を記すが、該記入により本発明は添付図面の構成に限定されるものではない。
【図面の簡単な説明】
【図１】（イ） 穂先竿と中間竿とを第２状態に設定した状態を示す側面図
（ロ） 穂先竿と中間竿とを伸長させた状態を示す側面図
【図２】穂先竿と中間竿とを第１状態に設定した状態を示す側面図
【図３】図２に対応した、穂先竿と中間竿とを示す縦断側面図
【図４】連結具に位置決め用の突出部を形成した状態を示す縦断側面図
【図５】連結具に水抜き孔を設けた状態を示す縦断側面図
【図６】連結具として螺旋体を使用した状態を示す縦断側面図
【図７】糸支持体の別構造を示す縦断側面図
【符号の説明】
１Ａ，１Ｂ，１Ｃ 竿部分
６ 糸支持体
８ 連結具
ａ 糸
【図１】
0003590095.tif 000002
【図２】
0003590095.tif 000003
【図３】
0003590095.tif 000004
【図４】
0003590095.tif 000005
【図５】
0003590095.tif 000006
【図６】
0003590095.tif 000007
【図７】
0003590095.tif 000008